(57)【要約】【課題】本発明は、固定レンズ群を保持する固定レンズ保持部材を、光軸方向、光軸に垂直な方向及び光軸に対する傾きを調整できるレンズ鏡筒およびレンズユニットの提供を目的とする。【解決手段】基準筒５と、第１及び第２固定レンズ保持部材４６、４７と、第１調整部材としての３つの先端テーパービス６１及び３つの頭部テーパービス６２と、第２調整部材としての３つの頭部当接ビス７１及び３つの先端当接ビス７２とを備えている。先端テーパービス６１と頭部当接ビス７１とで、基準筒５に対する第１固定レンズ保持部材４６の位置調整を行い、頭部テーパービス６２と先端当接ビス７２とで、基準筒５に対する第２固定レンズ保持部材４７の位置調整を行う。【選択図】図２
2013122485.tif 000002
【特許請求の範囲】
【請求項１】
軸を有する基準筒と、前記基準筒に軸方向及び径方向に移動可能に保持されるとともに、固定レンズ群を保持した筒状の固定レンズ保持部材と、前記基準筒に対する前記固定レンズ保持部材の位置を調整するための位置調整部材とを備えたレンズ鏡筒であって、
前記位置調整部材は、前記基準筒と軸方向に移動可能に係合し前記基準筒の径方向に対する前記固定レンズ保持部材の位置を調整するための複数の第１調整部材と、前記固定レンズ保持部材と軸方向移動可能に係合し前記基準筒の軸方向に対する前記固定レンズ保持部材の位置及び前記基準筒の軸に対する前記固定レンズ保持部材の軸の傾きを調整するための複数の第２調整部材とを備え、
前記複数の第１調整部材は、前記基準筒の周方向に互いに距離を持って配設され、
前記各第１調整部材は、前記固定レンズ保持部材に当接するテーパー状の保持部材当接部を備え、
前記複数の第２調整部材は、前記固定レンズ保持部材の周方向に互いに距離を持って配設され、
前記各第２調整部材は、前記基準筒に当接する基準筒当接部を備えていることを特徴とするレンズ鏡筒。
【請求項２】
前記固定レンズ保持部材は、前記保持部材当接部が当接される傾斜面を備え、
前記各第１調整部材は、その基端側に設けられた第１調整部材用頭部と、その先端側に設けられ前記基準筒に螺合される第１調整部材用ネジ軸部とを備え、
前記保持部材当接部は、前記第１調整部材用頭部における前記第１調整部材用ネジ軸部側に形成されているとともに、前記固定レンズ保持部材の傾斜面に当接することを特徴とする請求項１記載のレンズ鏡筒。
【請求項３】
前記各第２調整部材は、前記固定レンズ保持部材に螺合される第２調整部材用ネジ軸部を備え、
前記基準筒当接部は、前記第２調整部材用ネジ軸部の先端に形成された湾曲面からなることを特徴とする請求項１又は２記載のレンズ鏡筒。
【請求項４】
前記各第１調整部材は、前記基準筒に螺合される第１調整部材用ネジ軸部を備え、
前記保持部材当接部は、前記第１調整部材用ネジ軸部の先端に形成され、
前記各第２調整部材は、その基端側に設けられた第２調整部材用頭部と、その先端側に設けられ前記固定レンズ保持部材に螺合される第２調整部材用ネジ軸部とを備え、
前記基準筒当接部は、前記第２調整部材用頭部における第２調整部材用ネジ軸部側の端面に形成され、
前記基準筒は、前記第２調整部材用頭部の基準筒当接部が当接される被基準筒当接部を備えていることを特徴とする請求項１記載のレンズ鏡筒。
【請求項５】
前記位置調整部材は、前記基準筒当接部を前記基準筒に押し付けるように付勢する付勢部材を、更に備えていることを特徴とする請求項１〜４の何れか一項に記載のレンズ鏡筒。
【請求項６】
前記固定レンズ保持部材は、非球面レンズを有する固定レンズ群を保持することを特徴とする請求項１〜５の何れか一項に記載のレンズ鏡筒。
【請求項７】
請求項１〜６の何れか一項に記載のレンズ鏡筒と、前記レンズ鏡筒内に保持された１又は複数の固定レンズとを備えていることを特徴とするレンズユニット。
【発明の詳細な説明】
【技術分野】
【０００１】
本発明は、プロジェクタやカメラ等に用いられるレンズ鏡筒およびレンズユニットに関するものである。
【背景技術】
【０００２】
カメラ及びビデオカメラのデジタル化に伴い、高画質化と小型化を達成できる撮像系が求められており、ズームレンズでは、更なる高解像度が求められてきている。しかし、レンズを大きくすることなく高解像度を求めると、部品の精度誤差、組立誤差による各レンズの結像性能に対する誤差が非常に大きくなるため、必然的に従来よりも厳しい光学性能の調整が求められる。
【０００３】
又、特許文献１に、光軸上に配置されるレンズを光軸方向並びに光軸に垂直な方向に夫々位置調整し得るようにしたものが開示されている。このものは、レンズを保持した調整枠と補助枠とをバネで付勢した状態で螺合させるとともに、その補助枠を、レンズ保持胴部材に螺合させたテーパー部を有する複数の調整部材で固定したものである。そして、その螺合した調整枠を補助枠に対して左又は右に回転させることにより、調整枠を光軸方向であるレンズ保持胴部材の軸方向に位置調整可能とし、又、複数の調整部材を左又は右に回転させることにより、補助枠を光軸に垂直な方向である径方向に位置調整可能としたものである。
【先行技術文献】
【特許文献】
【０００４】
【特許文献１】実開平０７−３６１１２号公報
【発明の概要】
【発明が解決しようとする課題】
【０００５】
ところで、例えば非球面レンズが使われているような光学系では、固定レンズの位置調整には、性能を出すために、光軸方向及び光軸に垂直な方向の位置調整に加え、光軸に対する傾きを調整することも必要である。しかしながら、上記特許文献１では、レンズを光軸方向及び光軸方向に垂直な垂直方向の位置調整を行うことができるが、光軸に対する傾き調整を行うことができない。
【０００６】
又、レンズを保持した調整枠と補助枠とを螺合させるためのネジ加工を施さなければならず、構成が複雑化してしまい、製造コストが高くついてしまう。
【０００７】
本発明は、固定レンズ群を保持する固定レンズ保持部材を、光軸方向、光軸に垂直な方向及び光軸に対する傾きを調整できるレンズ鏡筒およびレンズユニットの提供を目的とする。
【課題を解決するための手段】
【０００８】
本発明の一態様に係るレンズ鏡筒は、軸を有する基準筒と、前記基準筒に軸方向及び径方向に移動可能に保持されるとともに、固定レンズ群を保持した筒状の固定レンズ保持部材と、前記基準筒に対する前記固定レンズ保持部材の位置を調整するための位置調整部材とを備えたレンズ鏡筒であって、前記位置調整部材は、前記基準筒と軸方向に移動可能に係合し前記基準筒の径方向に対する前記固定レンズ保持部材の位置を調整するための複数の第１調整部材と、前記固定レンズ保持部材と軸方向移動可能に係合し前記基準筒の軸方向に対する前記固定レンズ保持部材の位置及び前記基準筒の軸に対する前記固定レンズ保持部材の軸の傾きを調整するための複数の第２調整部材とを備え、前記複数の第１調整部材は、前記基準筒の周方向に互いに距離を持って配設され、前記各第１調整部材は、前記固定レンズ保持部材に当接するテーパー状の保持部材当接部を備え、前記複数の第２調整部材は、前記固定レンズ保持部材の周方向に互いに距離を持って配設され、前記各第２調整部材は、前記基準筒に当接する基準筒当接部を備えていることを特徴とする。
【０００９】
この構成によれば、複数の第２調整部材を全部、同じ量だけ軸方向の同じ方向に移動操作する。これにより、光軸となる軸を有する基準筒に対して固定レンズ保持部材を、その軸方向、即ち光軸方向に移動でき、光軸方向の位置調整を行うことができる。
【００１０】
一方、複数の第２調整部材の内の一部を軸方向に移動操作する。これにより、基準筒の軸に対する固定レンズ保持部材の軸を傾けることができ、固定レンズ保持部材の光軸に対する軸の傾き調整を行うことができる。
【００１１】
又、複数の第１調整部材の内の一部を軸方向の一方側に移動操作し、第１調整部材の内の他を軸方向の他方側に移動操作する。これにより、基準筒に対して固定レンズ保持部材を、その軸方向、即ち光軸方向に垂直な方向に移動でき、光軸方向に垂直な方向の位置調整を行うことができる。
【００１２】
他の一態様によれば、前記レンズ鏡筒において、前記固定レンズ保持部材は、前記保持部材当接部が当接される傾斜面を備え、前記各第１調整部材は、その基端側に設けられた第１調整部材用頭部と、その先端側に設けられ前記基準筒に螺合される第１調整部材用ネジ軸部とを備え、前記保持部材当接部は、前記第１調整部材用頭部における前記第１調整部材用ネジ軸部側に形成されているとともに、前記固定レンズ保持部材の傾斜面に当接することを特徴とする。
【００１３】
この構成によれば、例えば固定レンズ保持部材を基準筒の一端面側に連結する場合であって、固定レンズ保持部材の外周部が基準筒の一端面を覆うような場合、第１調整部材用ネジ軸部を基準筒にその一端面側から螺合すれば、第１調整部材用頭部に形成した保持部材当接部を固定レンズ保持部材に設けられた傾斜面に当接させることができる。従って、例えば固定レンズ保持部材を基準筒の一端面側に連結する場合に有益なものになる。
【００１４】
他の一態様によれば、前記レンズ鏡筒において、前記各第２調整部材は、前記固定レンズ保持部材に螺合される第２調整部材用ネジ軸部を備え、前記基準筒当接部は、前記第２調整部材用ネジ軸部の先端に形成された湾曲面からなることを特徴とする。
【００１５】
この構成によれば、基準筒当接部を基準筒に点接触でき、滑らかに、しかも、正確に調整できる。
【００１６】
他の一態様によれば、前記レンズ鏡筒において、前記各第１調整部材は、前記基準筒に螺合される第１調整部材用ネジ軸部を備え、前記保持部材当接部は、前記第１調整部材用ネジ軸部の先端に形成され、前記各第２調整部材は、その基端側に設けられた第２調整部材用頭部と、その先端側に設けられ前記固定レンズ保持部材に螺合される第２調整部材用ネジ軸部とを備え、前記基準筒当接部は、前記第２調整部材用頭部における第２調整部材用ネジ軸部側の端面に形成され、前記基準筒は、前記第２調整部材用頭部の基準筒当接部が当接される被基準筒当接部を備えていることを特徴とする。
【００１７】
この構成によれば、例えば固定レンズ保持部材が基準筒の外周で覆われているような場合、第２調整部材用ネジ軸部を固定レンズ保持部材に螺合させれば、第２調整部材用頭部の基準筒当接部を被基準筒当接部に当接させることができる。従って、例えば固定レンズ保持部材が基準筒の外周で覆われている場合に有益なものにできる。
【００１８】
他の一態様によれば、前記レンズ鏡筒において、前記位置調整部材は、前記基準筒当接部を前記基準筒に押し付けるように付勢する付勢部材を、更に備えていることを特徴とする。
【００１９】
この構成によれば、基準筒当接部を常時基準筒に押し付けた状態で調整でき、螺合した際の第２調整部材と固定レンズ保持部材との両者間に生じるネジクリアランス分のガタを抑えることができる。これにより、第２調整部材によって、固定レンズ保持部材の光軸方向の位置調整及び光軸方向の傾き調整を正確に行うことができる。
【００２０】
他の一態様によれば、前記レンズ鏡筒において、前記固定レンズ保持部材は、非球面レンズを有する固定レンズ群を保持することを特徴とする。
【００２１】
この構成によれば、非球面レンズを、光軸方向、光軸に垂直な方向及び光軸に対する傾きを調整することができ、高性能なものにできる。
【００２２】
又、本発明は、請求項１〜６の何れか一項に記載のレンズ鏡筒と、前記レンズ鏡筒内に保持された１又は複数のレンズとを備えていることを特徴とするレンズユニットを提供する。
【００２３】
この構成によれば、固定レンズ群を保持する固定レンズ保持部材を、光軸方向、光軸に垂直な方向及び光軸に対する傾きを調整でき、高性能なレンズユニットにできる。
【発明の効果】
【００２４】
本発明のレンズ鏡筒およびレンズユニットは、固定レンズ群を保持する固定レンズ保持部材を、光軸方向、光軸に垂直な方向及び光軸に対する傾きを調整できる。
【図面の簡単な説明】
【００２５】
【図１】本発明の第１実施形態のレンズ鏡筒を備えたレンズユニットの断面図である。
【図２】図１のレンズユニットの要部の拡大断面図である。
【図３】図１のレンズユニットの第３固定レンズ保持部材を省略した背面図である。
【図４】図２のＩＶ−ＩＶ線断面図である。
【図５】第２コイルバネの側面図である。
【図６】図３のＶＩ−ＶＩ線断面図である。
【図７】第２実施形態のレンズ鏡筒を備えたレンズユニットの断面図である。
【発明を実施するための形態】
【００２６】
以下、本発明の実施の形態について、図面を参照しながら詳細に説明する。図１は、本発明の第１実施形態のレンズ鏡筒を備えたレンズユニットの断面図、図２は、図１のレンズユニットの要部の拡大断面図、図３は、レンズユニットの第３固定レンズ保持部材を省略した背面図、図４は、図２のＩＶ−ＩＶ線断面図である。尚、図のＸ方向を前方側とし、Ｙ方向を後方側として説明する。
【００２７】
第１実施形態のレンズユニット１は、撮像用のものとされており、図１に示すように、レンズ鏡筒１０と、レンズ群４ａ〜４ｈとを備えている。
【００２８】
レンズ群は、この第１実施形態では、フォーカス機構部として機能する移動レンズ群である第１移動レンズ群４ａ及び第２移動レンズ群４ｂと、ズーム機構部として機能する移動レンズ群である第３移動レンズ群４ｃ、第４移動レンズ群４ｄ及び第５移動レンズ群４ｅと、固定状態にして使用される固定レンズ群である第１固定レンズ群４ｆ、第２固定レンズ群４ｇ、及び第３固定レンズ群４ｈとを備えている。尚、これらのレンズ群は、夫々、１又は複数のレンズにより構成される。
【００２９】
レンズ鏡筒１０は、図１に示すように円筒状の固定筒２と、円筒状のカム筒３ａ、３ｂと、円筒状の基準筒５と、上記移動レンズ群４ａ〜４ｅのそれぞれを保持した円筒状の第１移動レンズ保持部材４１〜第５移動レンズ保持部材４５と、上記固定レンズ群４ｆ〜４ｈのそれぞれを保持した円筒状の第１固定レンズ保持部材４６〜第３固定レンズ保持部材４８と、基準筒５に対する前記第１固定レンズ保持部材４６及び第２固定レンズ保持部材４７の位置を調整するための位置調整部材６１、６２、７１、７２、８１、８２とを備えている。
【００３０】
固定筒２は、前部側の周面に、内周面から外周面に貫通するようにして軸方向（光軸方向）の前後方向に延ばされた第１ガイド溝２１ａと、後部側の周面に、内周面から外周面に貫通するようにして軸方向（光軸方向）の前後方向に延ばされた第２ガイド溝２１ｂとを備えている。
【００３１】
第１ガイド溝２１ａは、第１移動レンズ群４ａ及び第２移動レンズ群４ｂと係合して光軸方向にガイドし、第２ガイド溝２１ｂは、第３移動レンズ群４ｃ〜第５移動レンズ群４ｅと係合して光軸方向にガイドする。
【００３２】
尚、図示しないが、これらの第１ガイド溝２１ａ及び第２ガイド溝２１ｂは、それぞれ、周方向に、等間隔に配設された３つから構成されている。
【００３３】
カム筒は、この実施形態では、第１移動レンズ群４ａ及び第２移動レンズ群４ｂと係合した第１カム筒３ａと、第３移動レンズ群４ｃ〜第５移動レンズ群４ｅと係合した第２カム筒３ａとの２つから構成されている。
【００３４】
第１カム筒３ａは、周面に、内周面から外周面に貫通するようにして、軸方向及び周方向に対して斜め方向に延ばされて軸方向及び周方向に所定の角度を持つように形成された第１カム溝３１と第２カム溝３２との２種類のカム溝を備えている。
【００３５】
尚、これらの第１カム溝３１及び第２カム溝３２は、夫々、周方向に等間隔に配設された３つから構成されている。
【００３６】
上記のように構成された第１カム筒３ａは、図１に示すように固定筒２の前部側の外周に、固定筒２の軸回りに回転自在に嵌合されており、これにより、第１カム筒３ａが固定筒２に軸方向に移動不能且つ回転可能に保持されている。
【００３７】
第２カム筒３ｂは、上記第１カム筒３ａと同様に、周面に、内周面から外周面に貫通するようにして、軸方向及び周方向に対して斜め方向に延ばされて軸方向及び周方向に所定の角度を持つように形成された第３カム溝３３〜第５カム溝３５の３種類のカム溝を備えている。
【００３８】
尚、これらの第３カム溝３３〜第５カム溝３５も、夫々、周方向に等間隔に配設された３つから構成されている。
【００３９】
そして、このように構成された第２カム筒３ｂは、図１に示すように固定筒２の後部側の外周に、固定筒２の軸回りに回転自在に嵌合されており、これにより、第２カム筒３ｂが固定筒２に軸方向に移動不能且つ回転可能に保持されている。
【００４０】
基準筒５は、内周に、図１、図２に示すように径内側に突設された鍔部５２を備えている。又、この実施形態の基準筒５は、この鍔部５２を挟んで前方側に、絞り５０（図１に図示）及び第１固定レンズ保持部材４６を保持する第１保持部５１を備え、その後方側に、第２固定レンズ保持部材４７を保持する第２保持部５３を備えている。尚、絞り５０は、基準筒５の外周側に回動可能に設けられた操作環９により操作される。
【００４１】
又、図４に示すように、鍔部５２には、周方向に等間隔に配された３つの先端テーパービス用ネジ孔（第１調整部材用ネジ孔）５２ａと、周方向に等間隔に、且つ周方向に隣接する２つの先端テーパービス用ネジ孔５２ａの間の夫々に配設された３つのネジ挿通孔５２ｂとを備えている。
【００４２】
先端テーパービス用ネジ孔５２ａは、後述の先端テーパービス６１と螺合するもので、各先端テーパービス用ネジ孔５２ａは、図２に示すように鍔部５２の後面から前面に貫通するように軸方向に沿って形成されている。
【００４３】
各ネジ挿通孔５２ｂは、図２に示すように鍔部５２の後面から所定深さで形成された受容凹部５２ｃと、受容凹部５２ｃから鍔部５２の前面に貫通するようにあけられた軸挿通孔５２ｄとを備えている。
【００４４】
各軸挿通孔５２ｄは、後述の頭部当接ビス７１のネジ軸部７１ｂを挿通可能に形成されている。各受容凹部５２ｃは、後述の頭部当接ビス７１の頭部７１ａを受容できるように形成されている。
【００４５】
又、各受容凹部５２ｃは、その内部における軸挿通孔５２ｄの周部に形成された奥端面に、後述する頭部当接ビス７１の頭部７１ａの基準筒当接部７１ｃが当接される被基準筒当接部５２ｅを備えている。
【００４６】
又、基準筒５は、その後端面に、周方向に等間隔に配された３つの頭部テーパービス用ネジ孔（第１調整部材用ネジ孔）５４を備えている。これらの頭部テーパービス用ネジ孔５４は、後述の頭部テーパービス６２と螺合するもので、後端面から軸方向に沿って前方側に所定の深さで形成されている。
【００４７】
このように構成された基準筒５は、固定筒２の後方側に、固定筒２の軸と基準筒５の軸とが一致するようにして固定筒２に対して固定的に配設されている。従って、この基準筒５の軸は光軸と一致している。
【００４８】
次に、図１に戻って、第１移動レンズ保持部材４１〜第５移動レンズ保持部材４５について説明する。第１移動レンズ保持部材４１は、内周側に第１移動レンズ群４ａを移動不能に保持し、外周側にカムフォロア４９を備えている。そして、この第１移動レンズ保持部材４１は、カムフォロア４９が固定筒２の第１ガイド溝２１ａ及び第１カム筒３ａの第１カム溝３１に摺動可能に入れられるようにして、固定筒２の径内側であって第１カム筒３ａの径内側に移動可能に配設されている。
【００４９】
第２移動レンズ保持部材４２は、内周側に第２移動レンズ群４ｂを移動不能に保持し、外周側にカムフォロア４９を備えている。そして、この第２移動レンズ保持部材４２は、カムフォロア４９が固定筒２の第１ガイド溝２１ａ及び第１カム筒３ａの第２カム溝３２に摺動可能に入れられるようにして、固定筒２の径内側であって第１カム筒３ａの径内側における第１移動レンズ保持部材４１の後方側に移動可能に配設されている。
【００５０】
第３移動レンズ保持部材４３は、内周側に第３移動レンズ群４ｃを移動不能に保持し、外周側にカムフォロア４９を備えている。そして、この第３移動レンズ保持部材４３は、カムフォロア４９が固定筒２の第２ガイド溝２１ｂ及び第２カム筒３ｂの第３カム溝３３に摺動可能に入れられるようにして、固定筒２の径内側であって第２カム筒３ｂの径内側に移動可能に配設されている。
【００５１】
第４移動レンズ保持部材４４は、内周側に第４移動レンズ群４ｄを移動不能に保持し、外周側にカムフォロア４９を備えている。そして、この第４移動レンズ保持部材４４は、カムフォロア４９が固定筒２の第２ガイド溝２１ｂ及び第２カム筒３ｂの第４カム溝３４に摺動可能に入れられるようにして、固定筒２の径内側であって第２カム筒３ｂの径内側における第３移動レンズ保持部材４３の後方側に移動可能に配設されている。
【００５２】
第５移動レンズ保持部材４５は、内周側に第５移動レンズ群４ｅを移動不能に保持し、外周側にカムフォロア４９を備えている。そして、この第５移動レンズ保持部材４５は、カムフォロア４９が固定筒２の第２ガイド溝２１ｂ及び第２カム筒３ｂの第５カム溝３５に摺動可能に入れられるようにして、固定筒２の径内側であって第２カム筒３ｂの径内側における第４移動レンズ保持部材４４の後方側に移動可能に配設されている。
【００５３】
以上のようにして固定筒２に組み付けられた第１移動レンズ保持部材４１〜第５移動レンズ保持部材４５は、使用に際して、次のようにして固定筒２の軸方向である光軸方向に移動操作される。
【００５４】
例えば第１カム筒３ａの外周側に、第１カム筒３ａに回転不能且つ固定筒２に回転可能に配設された第１カム筒用操作環６ａが回転操作されることにより、第１カム筒３ａが回転する。
【００５５】
そして、その回転に伴って、第１移動レンズ保持部材４１に付設されたカムフォロア４９が固定筒２の第１ガイド溝２１ａ及び第１カム筒３ａの第１カム溝３１を摺動し、これにより、第１移動レンズ保持部材４１が光軸方向に移動する。また、第２移動レンズ保持部材４２に付設されたカムフォロア４９が固定筒２の第２ガイド溝２１ｂ及び第１カム筒３ａの第２カム溝３２を摺動し、これにより、第２移動レンズ保持部材４２が光軸方向に移動する。
【００５６】
又、第２カム筒３ｂの外周側に、第２カム筒３ｂに回転不能且つ固定筒２に回転可能に配設された第２カム筒用操作環６ｂが回転操作されることにより、第２カム筒３ｂが回転する。
【００５７】
そして、その回転に伴って、第３移動レンズ保持部材４３に付設されたカムフォロア４９が固定筒２の第２ガイド溝２１ｂ及び第２カム筒３ｂの第３カム溝３３を摺動し、これにより、第３移動レンズ保持部材４３が光軸方向に移動する。
【００５８】
又、第４移動レンズ保持部材４４に付設されたカムフォロア４９が固定筒２の第２ガイド溝２１ｂ及び第２カム筒３ｂの第４カム溝３４を摺動し、これにより、第４移動レンズ保持部材４４が光軸方向に移動する。
【００５９】
さらに、又、第５移動レンズ保持部材４５に付設されたカムフォロア４９が固定筒２の第２ガイド溝２１ｂ及び第２カム筒３ｂの第５カム溝３５を摺動し、これにより、第５移動レンズ保持部材４５が光軸方向に移動する。尚、第１カム筒用操作環６ａおよび第２カム筒用操作環６ｂは、手動で操作されるものでもよく、又、モータ等の駆動部材により駆動操作される形態のものでもよい。
【００６０】
次に、第１固定レンズ保持部材４６〜第３固定レンズ保持部材４８について説明する。第１固定レンズ保持部材４６は、図１、図２に示すように、内周側に、第１固定レンズ群４ｆを固定的に保持し、外周が上記基準筒５の第１保持部５１に入れられるようにして軸方向及び径方向に移動可能に保持されている。
【００６１】
この実施形態では、第１固定レンズ保持部材４６の外径が第１保持部５１の内径よりも０．５ｍｍ程度小さく設定され、第１固定レンズ保持部材４６が基準筒５の第１保持部５１に対して径方向に位置調整可能に保持されるようになっている。
【００６２】
又、第１固定レンズ保持部材４６は、外周の前部側の全周に、テーパー状の被ネジ当接部４６ａを備えている。被ネジ当接部４６ａは、後方側に行くに従い漸次径小になるように形成されている。
【００６３】
又、第１固定レンズ保持部材４６は、後端面に、３つの頭部当接ビス用ネジ孔（第２調整部材用ネジ孔）４６ｂを備えている（図１、図２に、１つだけ表れている）。
【００６４】
これらの頭部当接ビス用ネジ孔４６ｂは、後述の頭部当接ビス７１と螺合するもので、上記基準筒５の軸挿通孔５２ｄと対応する位置に、第１固定レンズ保持部材４６の後端面から前方側に軸方向に沿って所定の深さで形成されている。
【００６５】
第２固定レンズ保持部材４７は、円筒状の第２固定レンズ保持部材本体４７ａと、第２固定レンズ保持部材本体４７ａを基準筒５に保持するための保持用鍔部４７ｂとを備えている。
【００６６】
第２固定レンズ保持部材本体４７ａは、内周側に、第２固定レンズ群４ｇを固定的に保持し、前部側の外周が上記基準筒５内に入れられるようにして基準筒５の第２保持部５３に軸方向及び径方向に移動可能に保持されている。
【００６７】
この実施形態では、第１固定レンズ保持部材４６の場合と同様に、第２固定レンズ保持部材４７の外径が第２保持部５２の内径よりも０．５ｍｍ程度、小さく設定され、第２固定レンズ保持部材４７が基準筒５の第２保持部５３に対して径方向に位置調整可能に保持されるようになっている。
【００６８】
保持用鍔部４７ｂは、第２固定レンズ保持部材本体４７ａの外周の全周に亘って、その外周から径外側に所定長さで突出するようにして、基準筒５の内径よりも径大に形成されており、図３に示すように３つの被保持部材当接部としての傾斜面４７ｃと、３つの先端当接ビス用ネジ孔（第２調整部材用ネジ孔）４７ｄとを備えている。
【００６９】
これらの傾斜面４７ｃは、後述の頭部テーパービス６１の保持部材当接部６２ｃが当接される部分で、保持用鍔部４７ｂの周方向に等間隔で配設されている。そして、各傾斜面４７ｃは、この実施形態では、保持用鍔部４７ｂの外周に設けられた凹部４７ｅ内に形成されている。
【００７０】
詳しくは、保持用鍔部４７ｂにおける周方向に沿って等間隔になる３箇所のそれぞれに、保持用鍔部４７ｂの前面から後面にかけて、所定の幅で、外周から所定の深さでカットされるようにして略コの字状に形成された凹部４７ｅが設けられている。
【００７１】
そして、傾斜面４７ｃは、凹部４７ｅ内における径内側の内側面に、第２固定レンズ保持部材本体４７ａの軸からの距離が後方から前方に行くに従い漸次大きくなる傾斜状に形成されている。
【００７２】
上記先端当接ビス用ネジ孔４７ｄは、後述の先端当接ビス７２と螺合するもので、この実施形態では、保持用鍔部４７ｂにおける周方向に沿って等間隔になる３箇所であって、隣接する２つの凹部４７ｅの間のそれぞれの３箇所に配設されている。各先端当接ビス用ネジ孔４７ｄは、保持用鍔部４７ｂの後面から軸方向に沿って前面に貫通するように形成されている。
【００７３】
次に、第３固定レンズ保持部材４８について説明する。第３固定レンズ保持部材４８は、図１に示すように内周側に、第３固定レンズ群４ｇを固定的に保持し、外周が固定筒２の前端に固定的に保持されている。
【００７４】
次に、位置調整部材について説明する。この実施形態の位置調整部材は、複数の先端テーパービス６１と、複数の頭部テーパービス６２と、複数の頭部当接ビス７１と、先端当接ビス７２と、コイルバネ８１、８２とを備えている。
【００７５】
先端テーパービス６１と頭部テーパービス６２とは、第１調整部材としてのもので、この実施形態では、先端テーパービス６１は、基準筒５の径方向（Ｚ−Ｗ方向）に対する第１固定レンズ保持部材４６の位置を調整するものであり、一方、頭部テーパービス６２は、基準筒５の径方向に対する第２固定レンズ保持部材４７の位置を調整するものである。
【００７６】
先端テーパービス６１は、上記基準筒５の先端テーパービス用ネジ孔５２ａに対応する数の３つから構成されている。各先端テーパービス６１は、ネジ軸部（第１調整部材用ネジ軸部）６１ａと、そのネジ軸部６１ａの先端に設けられた保持部材当接部としての先端テーパー部６１ｂとを備えている。
【００７７】
上記ネジ軸部６１ａは、外周に、上記基準筒５の先端テーパービス用ネジ孔５２ａに螺合する雄ネジを有している。
【００７８】
先端テーパー部６１ｂは、先端に行くに従い漸次径小になるように形成されている。そして、このネジ軸部６１ａと基準筒５の先端テーパービス用ネジ孔５２ａとの螺合に際し、先端テーパー部６１ｂと第１固定レンズ保持部材４６の被ネジ当接部４６ａとが当接できるようになっている。又、この実施形態では、先端テーパー部６１ｂのテーパー角度が被ネジ当接部４６ａのテーパー角度と同じに設定されており、上記螺合状態で、両者が線接触するようになっている。
【００７９】
頭部テーパービス６２は、上記基準筒５の頭部テーパービス用ネジ孔５４に対応する数の３つから構成されている。各頭部テーパービス６２は、基端側に設けられた頭部（第１調整部材用頭部）６２ａと、先端側に設けられたネジ軸部（第１調整部材用ネジ軸部）６２ｂとを備えている。
【００８０】
上記頭部６２ａは、上記ネジ軸部６２ｂ側に、そのネジ軸部６２ｂ側に行くに従い漸次径小になる頭部テーパー部６２ｃを備えている。上記ネジ軸部６２ｂは、外周に、上記基準筒５の頭部テーパービス用ネジ孔５４に螺合する雄ネジを有している。
【００８１】
そして、このネジ軸部６２ｂと基準筒５の頭部テーパービス用ネジ孔５４との螺合に際し、先端テーパー部６２ｃと第２固定レンズ保持部材４７の傾斜面４７ｃとが当接できるようになっている。又、この実施形態では、先端テーパー部６１ｂのテーパー角度が第２固定レンズ保持部材４７の傾斜面４７ｃの軸方向に対する角度と同じに設定されており、上記螺合状態で、両者が線接触するようになっている。
【００８２】
頭部当接ビス７１と先端当接ビス７２とは、第２調整部材としてのもので、この実施形態では、頭部当接ビス７１は、基準筒５の軸方向（Ｘ−Ｙ方向）に対する第１固定レンズ保持部材４６の位置及び基準筒５の軸（光軸）Ｏに対する第１固定レンズ保持部材４６の軸Ｏ１の傾きα１を調整する。一方、先端当接ビス７２は、基準筒５の軸方向（Ｘ−Ｙ方向）に対する第２固定レンズ保持部材４７の位置及び基準筒５の軸（光軸）Ｏに対する第２固定レンズ保持部材４７の軸Ｏ２の傾きα２を調整する。尚、図２では、上記傾きα１、α２を模式的に表している。
【００８３】
頭部当接ビス７１は、上記基準筒５のネジ挿通孔５２ｂと対応する数の３つから構成されている。各頭部当接ビス７１は、基端側に設けられた頭部（第２調整部材用頭部）７１ａと、先端側に設けられたネジ軸部（第２調整部材用ネジ軸部）７１ｂとを備えている。
【００８４】
上記頭部７１ａは、円柱状のものから構成されており、上記ネジ軸部７１ｂ側の端面に、軸方向に垂直な垂直面からなる基準筒当接部７１ｃを備えている。そして、この頭部７１ａは、基準筒５の受容凹部５２ｃに、基準筒当接部７１ｃが受容凹部５２ｃの被基準筒当接部５２ｅに当接した状態で受容される。
【００８５】
この実施形態では、上記頭部７１ａは、その外径が基準筒５の受容凹部５２ｃの内径よりも０．５ｍｍ程度小さく設定され、受容凹部５２ｃに受容された頭部７１ａが径方向に移動可能とされている。
【００８６】
上記ネジ軸部７１ｂは、第１固定レンズ保持部材４６の頭部当接用ネジ孔４６ｂに螺合する雄ネジを備えている。
【００８７】
先端当接ビス７２は、上記基準筒５の先端当接ビス用ネジ孔４７ｄと対応する数の３つから構成されている。各先端当接ビス７２は、ネジ軸部（第２調整部材用ネジ軸部）７２ｂを備えている。そして、このネジ軸部７２ｂは、外周に、上記基準筒５の先端当接ビス用ネジ孔４７ｄに螺合する雄ネジを有している。
【００８８】
又、上記ネジ軸部７２ｂは、その先端に、基準筒５に当接する基準筒当接部７２ｃを備えている。この実施形態の基準筒当接部７２ｃは、湾曲状（この実施形態では半球状）に形成されている。
【００８９】
次に、コイルバネ８１、８２について説明する。コイルバネは、頭部当接ビス７１の基準筒当接部７１ｃを基準筒５に押し付けるように付勢する第１コイルバネ（付勢部材）８１と、先端当接ビス７２の基準筒当接部７２ｃを基準筒５に押し付けるように付勢する第２コイルバネ（付勢部材）８２とを備えている。
【００９０】
第１コイルバネ８１は、内部に、各頭部当接ビス７１のネジ軸部７１ｂが挿通されるようにして基準筒５の鍔部５２の前端面と、第１固定レンズ保持部材４６の後端面との間に圧縮された状態で配設されて両者を互いに引き離すように付勢している。これにより、頭部当接ビス７１の基準筒当接部７１ｃが基準筒５の受容凹部５２ｃの被基準筒当接部５２ｅに押し付けられている。
【００９１】
第２コイルバネ８２は、図５、図６に示すように、コイル部８２ａと、コイル部８２ａの両端のそれぞれに設けられた係止片８２ｂを有するものから構成されている。そして、これらの第２コイルバネ８２は、先端当接ビス７２のそれぞれの近傍に（図３参照）、基準筒５と第２固定レンズ保持部材４７とのそれぞれに引っ張られた状態で配設され、両者を互いに引き寄せるように付勢している。
【００９２】
詳しくは、図３に示すように第２固定レンズ保持部材４７における先端当接ビス７２のそれぞれの近傍に、バネ収容孔８３が設けられているとともに、基準筒５におけるバネ収容孔８３に対向する部分に、バネ収容凹部８４（図６に図示）が設けられている。
【００９３】
そして、図６に示すように第２コイルバネ８２は、バネ収容孔８３とバネ収容凹部８４とに収容されるとともに、引っ張られた状態で、バネ収容孔８３とバネ収容凹部８４との夫々に設けられた係止軸８５に係止片８２ｂが係止されており、これにより、両者を互いに引き寄せるように付勢している。そして、この付勢により、図２に示すように先端当接ビス７２の基準筒当接部７２ｃが基準筒５の後端面に押し付けている。
【００９４】
次に、このように構成された位置調整部材６１、６２、７１、７２、８１、８２によって第１固定レンズ保持部材４６及び第２固定レンズ保持部材４７の基準筒５に対する位置を調整する場合について説明する。
【００９５】
先端テーパービス６１と頭部当接ビス７１とによって第１固定レンズ保持部材４６を基準筒５に対して位置調整する場合から説明する。
【００９６】
基準筒５の軸方向に対する第１固定レンズ保持部材４６の位置を調整する場合は、全ての先端テーパービス６１を緩めた状態で（先端テーパービス６１で第１固定レンズ保持部材４６を固定していない状態）、全ての頭部当接ビス７１を同量だけ緩める方向に、あるいは締める方向に回転操作する。これにより、頭部当接ビス７１が軸方向に移動し、第１固定レンズ保持部材４６の全体を基準筒５の軸方向に移動できる。従って、基準筒５の軸方向に対する第１固定レンズ保持部材４６の位置を調整することができる。
【００９７】
又、その回転操作に伴う頭部当接ビス７１の軸方向への移動に際して、各第１コイルバネ８１の付勢力によって頭部当接ビス７１の基準筒当接部７１ｃと基準筒５の被基準筒当接部５２ｅとが当接しているため、螺合した頭部当接ビス７１と頭部当接ビス用ネジ孔４６ｂとの両者間に生じるネジクリアランス分のガタを抑えることができる。これにより、第１固定レンズ保持部材４６の基準筒５の軸方向、即ち光軸方向の位置調整を正確に行うことができる。
【００９８】
基準筒５の軸Ｏに対する第１固定レンズ保持部材４６の軸Ｏ１の傾きα１を調整する場合は、上記同様に、全ての先端テーパービス６１を緩めた状態で、１つ又は２つの頭部当接ビス７１を緩める方向に、あるいは締める方向に回転操作する。これにより、第１固定レンズ保持部材４６におけるその回転操作した頭部当接ビス７１に螺合した頭部当接ビス用ネジ孔４６ｂの部分だけを軸方向に移動させることができる。従って、基準筒５の軸Ｏに対する第１固定レンズ保持部材４６の軸Ｏ１の傾きα１を調整することができる。
【００９９】
又、その回転操作に伴う頭部当接ビス７１の軸方向への移動に際しても、各第１コイルバネ８１の付勢力によって頭部当接ビス７１の基準筒当接部７１ｃと基準筒５の被基準筒当接部５２ｅとが当接しているため、螺合した頭部当接ビス７１と頭部当接ビス用ネジ孔４６ｂとの両者間に生じるネジクリアランス分のガタを抑えることができる。これにより、回転操作に伴って頭部当接ビス７１が軸方向に移動した分だけ、その頭部当接ビス７１と螺合した頭部当接ビス用ネジ孔４６ｂの部分を頭部当接ビス７１と共に軸方向に移動させることができ、基準筒５の軸Ｏに対する第１固定レンズ保持部材４６の軸Ｏ１の傾きα１の調整を正確に行うことができる。
【０１００】
基準筒５の径方向に対する第１固定レンズ保持部材４６の位置を調整する場合は、頭部当接ビス７１をそのままにしておき、１つ又は２つの先端テーパービス６１を緩める方向に回転操作するとともに、他の残りの１つ又は２つの先端テーパービス６１を締める方向に回転操作する。
【０１０１】
これにより、第１固定レンズ保持部材４６の被ネジ当接部４６ａと当接した先端テーパービス６１の先端テーパー部６１ｂの軸方向の位置が移動するとともに、軸方向の位置も移動する。その際、第１固定レンズ保持部材４６は頭部当接ビス７１によって軸方向の移動が規制されているため、上記先端テーパー部６１ｂの移動に際して第１固定レンズ保持部材４６は径方向に移動する。従って、基準筒５の径方向に対する第１固定レンズ保持部材４６の位置を調整できる。
【０１０２】
頭部テーパービス６２と先端当接ビス７２とによって第２固定レンズ保持部材４７を基準筒５に対して位置調整する場合も、同様にして行うことができる。
【０１０３】
即ち、基準筒５の軸方向に対する第２固定レンズ保持部材４７の位置を調整する場合は、全ての頭部テーパービス６２を緩めた状態で（頭部テーパービス６２で第２固定レンズ保持部材４７を固定していない状態）、全ての先端当接ビス７２を同量だけ緩める方向に、あるいは締める方向に回転操作することにより、先端当接ビス７２が軸方向に移動し、第２固定レンズ保持部材４７の全体を基準筒５の軸方向に移動できる。従って、基準筒５の軸方向に対する第１固定レンズ保持部材４６の位置を調整することができる。
【０１０４】
又、その際、基準筒５に当接した先端当接ビス７２の基準筒当接部７２ｃが湾曲状に形成されているため、点接触でき、滑らかに、しかも、正確に調整できる。
【０１０５】
又、回転操作に伴う先端当接ビス７２の軸方向への移動に際して、各第２コイルバネ８２の付勢力によって先端当接ビス７２の基準筒当接部７２ｃと基準筒５とが当接しているため、螺合した先端当接ビス７２と先端当接ビス用ネジ孔４７ｄとの両者間に生じるネジクリアランス分のガタを抑えることができる。これにより、第２固定レンズ保持部材４７の基準筒５の軸方向、即ち光軸方向の位置調整を正確に行うことができる。
【０１０６】
基準筒５の軸Ｏに対する第２固定レンズ保持部材４７の軸Ｏ２の傾きα２を調整する場合も、上記と同様に、全ての頭部テーパービス６２を緩めた状態で、１つ又は２つの先端当接ビス７２を緩める方向に、あるいは締める方向に回転操作する。これにより、第２固定レンズ保持部材４７におけるその回転操作した先端当接ビス７２に螺合した先端当接ビス用ネジ孔４７ｄの部分だけを軸方向に移動させることができる。従って、基準筒５の軸Ｏに対する第２固定レンズ保持部材４７の軸Ｏ２の傾きα２を調整することができる。
【０１０７】
又、その場合も、回転操作に伴う先端当接ビス７２の軸方向への移動に際しても、各第２コイルバネ８２の付勢力によって先端当接ビス７２の基準筒当接部７２ｃと基準筒５とが当接しているため、螺合した先端当接ビス７２と先端当接ビス用ネジ孔４７ｄとの両者間に生じるネジクリアランス分のガタを抑えることができる。これにより、回転操作に伴って先端当接ビス７２が軸方向に移動した分だけ、その先端当接ビス７２と螺合した先端当接ビス用ネジ孔４７ｄの部分を先端当接ビス７２と共に軸方向に移動させることができる。従って、基準筒５の軸Ｏに対する第２固定レンズ保持部材４７の軸Ｏ２の傾きα２の調整を正確に行うことができる。
【０１０８】
基準筒５の径方向に対する第２固定レンズ保持部材４７の位置を調整する場合も、上記と同様に、先端当接ビス７２をそのままにしておき、１つ又は２つの頭部テーパービス６２を緩める方向に回転操作するとともに、他の残りの１つ又は２つの頭部テーパービス６２を締める方向に回転操作する。
【０１０９】
これにより、第２固定レンズ保持部材４７の傾斜面４７ｃと当接した頭部テーパービス６２の頭部テーパー部６２ｃの軸方向の位置が移動するとともに、径方向の位置も移動する。その際、第２固定レンズ保持部材４７は先端当接ビス７２及び第２コイルバネ８２の付勢力によって軸方向の移動が規制されているため、上記頭部テーパー部６２ｃの移動に際して第２固定レンズ保持部材４７は径方向に移動する。従って、基準筒５の径方向に対する第２固定レンズ保持部材４７の位置を調整できる。
【０１１０】
尚、上記第１実施形態では、第１調整部材としての先端テーパービス６１と頭部テーパービス６２とを用い、第２調整部材として頭部当接ビス７１と先端当接ビス７２とを用いて、第１固定レンズ保持部材４６と第２固定レンズ保持部材４７とのそれぞれを位置調整できるものとしたが、この形態のものに限らず、適宜変更できる。例えば第１調整部材としての先端テーパービス６１または頭部テーパービス６２を用い、第２調整部材として頭部当接ビス７１または先端当接ビス７２を用いて、第１固定レンズ保持部材４６または第２固定レンズ保持部材４７を位置調整できるものとしてもよい。
【０１１１】
次に、第２実施形態について説明する。第２実施形態のレンズユニット１００は、図７に示すように、レンズ鏡筒１１０と、レンズ群１０４ａ、１０４ｂとを備えている。
【０１１２】
レンズ群は、この第２実施形態では、固定状態にして使用される固定レンズ群である第１固定レンズ群１０４ａ及び第２固定レンズ群１０４ｂを備えている。
【０１１３】
この第２固定レンズ群１０４ｂは、この実施形態では、非球面レンズから構成されている。
【０１１４】
レンズ鏡筒１１０は、円筒状の基準筒１０２と、第２固定レンズ保持部材１４７と、基準筒１０２に対する前記第２固定レンズ保持部材１４７の位置を調整するための位置調整部材１６２、１７２とを備えている。
【０１１５】
基準筒１０２は、この第２実施形態では、第１固定レンズ群１０４ａを、基準筒１０２の軸と光軸とが一致するようにして固定的に保持している。
【０１１６】
第２固定レンズ保持部材１４７は、第２固定レンズ群１０４ｂを固定的に保持している。
【０１１７】
位置調整部材は、複数（この実施形態では３つ）の頭部テーパービス１６２（第１調整部材）と、複数（この実施形態では３つ）の先端当接ビス１７２（第２調整部材）と、図示しないコイルバネとを備えている。
【０１１８】
各頭部テーパービス１６２は、先の第１実施形態の頭部テーパービス６２と同構成を採っている。そして、これらの頭部テーパービス１６２は、先の第１実施形態と同様に、図示しないが、基準筒１０２の周方向に互いに等距離を持つように配設され、ネジ軸部１６２ｂが基準筒５の前端面に設けられた先端当接ビス用ネジ孔１５４に螺合している。又、この状態で、各頭部テーパービス１６２の頭部１６２ａの保持部材当接部１６２ｃが第２固定レンズ保持部材１４７に設けられた傾斜面１４７ｃに当接している。
【０１１９】
各先端当接ビス１７２は、先の第１実施形態の先端当接ビス７２と同構成を採っている。そして、これらの先端当接ビス１７２は、先の第１実施形態と同様に、図示しないが、第２固定レンズ保持部材１４７の周方向における隣接する２つの頭部テーパービス１６２の間のそれぞれに、互いに等間隔に配設され、ネジ軸部１７２ｂが第２固定レンズ保持部材１４７に設けられた頭部テーパービス用ネジ孔１４７ｄに螺合している。又、その状態で、先端当接ビス１７２の基準筒当接部１７２ｃが基準筒１０２の前端面に当接している。
【０１２０】
コイルバネは、先の第１実施形態の第２コイルバネ８２と同構成を採っており、先端当接ビス１７２の基準筒当接部１７２ｃを基準筒１０２の前端面に押し付けている。その他は、先の第１実施形態と同構成を採っている。
【０１２１】
以上のように構成された第２実施形態においては、頭部テーパービス１６２と先端当接ビス１７２とコイルバネとによって、非球面レンズを保持した第２固定レンズ保持部材１４７を、基準筒１０２の径方向（光軸方向と垂直な方向）に対する位置、基準筒１０２の軸方向（光軸方向）に対する位置、及び基準筒１０２の軸（光軸）に対する第２固定レンズ保持部材１４７の軸の傾きを調整できる。これにより、結像性能に対して高い偏芯感度を持つ非球面レンズの位置の微調整を行うことができ、結像性能を高めることができる。
【０１２２】
尚、上記実施形態では、第１調整部材としての先端テーパービス及び頭部テーパービスを３つから構成したが、２つ以上であればよく、適宜変更できる。又、第２調整部材としての頭部当接ビス及びと先端当接ビスについても３つ設ける形態のものに限らず、２つ以上であればよく、適宜変更できる。
【符号の説明】
【０１２３】
１、１００    レンズユニット
５、１０２    基準筒
１０    レンズ鏡筒
４６    第１固定レンズ保持部材
４７    第２固定レンズ保持部材
６１    固定筒先端テーパービス（第１調整部材）
６２、１６２    頭部テーパービス（第１調整部材）
６１ａ、６２ｂ    ネジ軸部（第１調整部材用ネジ軸部）
６２ａ    頭部（第１調整部材用頭部）
７１    頭部当接ビス（第２調整部材）
７２、１７２    先端当接ビス（第２調整部材）
７１ｂ、７２ｂ    ネジ軸部（第２調整部材用ネジ軸部）
７１ｃ、７２ｃ    基準筒当接部
【図１】
2013122485.tif 000003
【図２】
2013122485.tif 000004
【図３】
2013122485.tif 000005
【図４】
2013122485.tif 000006
【図５】
2013122485.tif 000007
【図６】
2013122485.tif 000008
【図７】
2013122485.tif 000009